(57)【要約】【課題】表面に貼着されたシート状接着部材を綺麗かつ簡単に剥離可能とする。【解決手段】表面にシート状接着部材（伝票１）を貼着する横長の貼着領域１７を設け、該貼着領域１７に複数のカット線２５ａ，２５ｂ，２２〜２４を、貼着領域１７の長手方向に対して非平行に延びるように設ける。また、貼着領域１７の長手方向の第１端縁に、貼着したシート状接着部材の縁を把持するために、一部を連続させ他部を切断した切起部１８を設ける。【選択図】図１
2008001419.tif 000002
【特許請求の範囲】
【請求項１】
紙製であり、表面にシート状接着部材を貼着する横長の貼着領域を設け、該貼着領域に表裏にかけて貫通する複数のカット線を、前記貼着領域の長手方向に対して非平行に延びるように設けたことを特徴とする紙製の包装体。
【請求項２】
表紙と裏紙との間に波状の中しんを配設した段ボール紙製であり、表面にシート状接着部材を貼着する横長の貼着領域を設け、該貼着領域に少なくとも前記表紙を貫通する複数のカット線を、前記貼着領域の長手方向に対して非平行に延びるように設けたことを特徴とする紙製の包装体。
【請求項３】
前記貼着領域の長手方向の第１端縁に、貼着したシート状接着部材の縁を把持するために、一部を連続させ他部を切断した切起部を設けたことを特徴とする請求項１または請求項２に記載の包装体。
【請求項４】
前記カット線は、前記貼着領域の長手方向の第１端側から第２端側に向けて内向きに傾斜する中間部カット線を有することを特徴とする請求項１乃至請求項３のいずれか１項に記載の包装体。
【請求項５】
前記カット線は、前記貼着領域の長手方向の第２端縁において、短手方向に沿って延びる終点部カット線を有することを特徴とする請求項１乃至請求項４のいずれか１項に記載の包装体。
【発明の詳細な説明】
【技術分野】
【０００１】
本発明は、包装箱や封筒などの紙製の包装体に関するものである。
【背景技術】
【０００２】
近年では、商品を特定の相手に宅配する場合、依頼人は、相手に届ける商品の大きさや衝撃に対する抗力などを考慮して包装箱や封筒に収容し、宅配業者に委託することが多い。そして、宅配業者は、届け先や依頼人、収容した商品の種別など、各社で設けた伝票に必要事項を依頼人に記載してもらい、その伝票を包装箱または封筒に貼着することにより、目的の届け先に配達する。
【０００３】
一方、届け先である受取人は、全ての商品を取り出すと、その包装箱または封筒が適当な大きさの場合には他の相手に商品を宅配する際に再利用し、不要な場合には廃棄する。そして、再利用する場合には、シート状接着部材である伝票を包装箱や封筒から綺麗に剥がす必要があり、廃棄する際には、自宅は勿論、依頼人の住所や電話番号などの個人情報が記載された伝票を包装箱や封筒から剥がし、伝票は細断する必要がある。
【０００４】
しかし、伝票は、包装箱や封筒から剥がれ落ちると、届け先が不明になるため、裏面に設ける接着層による接着力は強固にする必要があるが、このような伝票を剥がす作業は容易ではない。
【０００５】
しかも、包装箱や封筒を宅配用として再利用する場合、伝票を剥がした跡、即ち、表面の一部が接着層に付着したまま引っ張られることにより、表面層が剥離された跡が残るため、包装箱や封筒の美感を維持することができず、商品価値が損なわれる原因となる。一方、廃棄された包装箱や封筒は、古紙として紙製品の製造メーカがリサイクルし、新たな包装箱や封筒などの紙製品を製造するが、伝票が貼着されている場合には、リサイクル作業に支障を来す。
【０００６】
本発明は、宅配用伝票などのシート状接着部材を綺麗かつ簡単に剥がし、再利用を容易とするものであり、このような包装体に関連する先行技術文献情報としては次のものがある。
【０００７】
【特許文献１】特開２００１−１３０５４６号公報
【０００８】
この特許文献では、蓋体の一部に外周壁の外側に重畳するように、破断手段により切取り可能とした垂部を設け、該垂部に宅配用伝票を貼着する構成とした包装箱が記載されている。
【０００９】
しかしながら、この包装箱では、垂部の数に制限があるため、宅配用の包装箱として再利用可能な回数にも制限がある。また、垂部と一緒に切り取られた伝票は、個人情報を守秘するために細断する必要があるが、包装箱が段ボール紙製である場合、段ボール紙と一緒に伝票を細断する作業は容易ではない。
【発明の開示】
【発明が解決しようとする課題】
【００１０】
本発明は、従来の問題に鑑みてなされたもので、表面に貼着されたシート状接着部材を綺麗かつ簡単に剥離可能とし、容易に再利用を可能とした包装体を提供することを課題とするものである。
【課題を解決するための手段】
【００１１】
前記課題を解決するため、本発明の第１の包装体は、紙製であり、表面にシート状接着部材を貼着する横長の貼着領域を設け、該貼着領域に表裏にかけて貫通する複数のカット線を、前記貼着領域の長手方向に対して非平行に延びるように設けた構成としている。
また、第２の包装体は、表紙と裏紙との間に波状の中しんを配設した段ボール紙製であり、表面にシート状接着部材を貼着する横長の貼着領域を設け、該貼着領域に少なくとも前記表紙を貫通する複数のカット線を、前記貼着領域の長手方向に対して非平行に延びるように設けた構成としている。
【００１２】
ここで、非平行に延びるカット線とは、貼着領域の長手方向に沿って平行に位置するように直線的に延びるカット線を除く、湾曲線や傾斜線などの全ての形状のカット線を含む。勿論、その一端から他端まで連続したカット線、および、ミシン目状をなすように切断部と連続部とを交互に繰り返すカット線のいずれをも含む。
【００１３】
本発明の包装体では、シート状接着部材の貼着領域に長手方向に対して非平行に延びるカット線を設けているため、シート状接着部材を剥離する際に、表面層の一部が接着層に付着したまま引っ張られた場合、前記カット線に至ることにより剥離が止まる。そのため、シート状接着部材を剥がした跡は、貼着領域の内部のみに止めることが可能である。その結果、その包装体を宅配用として再利用する場合に美感を損ない、商品価値が損なわれることを防止できる。よって、包装体を構成する紙が耐え得る限り、再利用することが可能である。
【００１４】
これらの包装体は、前記貼着領域の長手方向の第１端縁に、貼着したシート状接着部材の縁を把持するために、一部を連続させ他部を切断した切起部を設けることが好ましい。このようにすれば、簡単にシート状接着部材の端縁を把持することができるため、剥離作業性を向上できる。
【００１５】
また、前記カット線は、前記貼着領域の長手方向の第１端側から第２端側に向けて内向きに傾斜する中間部カット線を有することが好ましい。
さらに、前記カット線は、前記貼着領域の長手方向の第２端縁において、短手方向に沿って延びる終点部カット線を有することが好ましい。
これらのようにすれば、表面層の剥離を確実に貼着領域内に止めることができる。
【発明の効果】
【００１６】
本発明の包装体では、カット線によりシート状接着部材を剥がす際の表面層の剥離を貼着領域のみに止めることが可能であるため、その包装体を宅配用として再利用する場合に美感を損ない、商品価値が損なわれることを防止できる。また、貼着したシート状接着部材の縁を把持するための切起部を設けているため、剥離作業性を向上できる。
【発明を実施するための最良の形態】
【００１７】
以下、本発明の実施の形態を図面に従って説明する。
【００１８】
図１から図４は、本発明の第１実施形態に係る包装体である段ボール紙製の包装箱１０を示す。この包装箱１０は、四方を囲繞する側壁１１Ａ〜１１Ｄと、各側壁１１Ａ〜１１Ｄの上下端縁に連設した上側フラップ１４Ａ〜１４Ｄおよび下側フラップ１５Ａ〜１５Ｄとを備え、前記上側フラップ１４Ａ〜１４Ｄの１つに、シート状接着部材である宅配用伝票（以下「伝票」と略する。）１を貼着する貼着領域１７を設けたものである。
【００１９】
具体的には、この包装箱１０は、図１（Ｃ）に示すように、表紙５および裏紙６の間に波状の中しん７を配設した周知の段ボール紙を、紙器打抜装置（図示せず）によって図１（Ａ）に示す連続した一枚のブランクとして打ち抜き、所定部位を糊付けにより貼着して成形される。
【００２０】
この包装箱１０のブランクは、図１（Ａ）に示すように、４つの側壁１１Ａ〜１１Ｄが直線的に連続するように設けられている。この側壁１１Ａ〜１１Ｄのうち、一端の側壁１１Ａの端縁には、他端の側壁１１Ｄに貼着するための糊代部１２が連設されている。そして、これら側壁１１Ａ〜１１Ｄおよび糊代部１２の境界部分には、肉厚を圧縮するように罫を入れて形成した折曲線１３が設けられている。
【００２１】
前記側壁１１Ａ〜１１Ｄには、上端縁に上側フラップ１４Ａ〜１４Ｄが連設され、下端縁に下側フラップ１５Ａ〜１５Ｄが連設されている。そして、これらフラップ１４Ａ〜１４Ｄ，１５Ａ〜１５Ｄと側壁１１Ａ〜１１Ｄの境界部分には、それぞれ前記と同様の折曲線１６が設けられている。
【００２２】
横方向が長尺な上側フラップ１４Ａ，１４Ｃおよび下側フラップ１５Ａ，１５Ｃは、封緘状態でそれぞれの先端縁が互いに突き合い、横方向が短尺な上側フラップ１４Ｂ，１４Ｄおよび下側フラップ１５Ｂ，１５Ｄは、それぞれの先端縁が互いに突き合わない寸法で形成されている。また、上側フラップ１４Ａ〜１４Ｄおよび下側フラップ１５Ａ〜１５Ｄの突出寸法は、全て同一であり、その先端が直線的に一致するように構成している。しかも、これらフラップ１４Ａ〜１４Ｄ，１５Ａ〜１５Ｄと側壁１１Ａ〜１１Ｄとの間に設けた折曲線１６は、それぞれ直線的に位置するように構成している。これにより、ブランクを形成する紙器打抜装置としては、高価なダイカッター方式ではなく、フレキソグルアなどの汎用加工機による製造を可能とし、生産コストの削減および生産効率の向上を図っている。
【００２３】
そして、本実施形態では、上側フラップ１４Ｃに横長の長方形状をなす貼着領域１７を設けている。この貼着領域１７は、図１（Ｂ）に示すように、封筒や伝票１などの目的のシート状接着部材より若干大きい長方形状をなす仮想的な領域（二点鎖線で示す。）を設け、その領域に剥離開始点となる切起部１８および複数種のカット線２２，２３，２４，２５ａ，２５ｂを設けたものである。
【００２４】
具体的には、貼着領域１７の長手方向の図１中右側に位置する第１端縁中央には、貼着した伝票１の縁を把持するため切起部１８が設けられている。この切起部１８は、貼着領域１７内に位置する半円部１８ａと、貼着領域１７外に位置する矩形部１８ｂとを備え、半円部１８ａの外周縁が半円形状の第１切断線１９により区画されるとともに、矩形部１８ｂの上下縁が第２切断線２０により区画されている。そして、上下に位置する第２切断線２０，２０（他部）の端部間は非切断状態の連続部（一部）とされ、その連続部に折曲線２１が設けられている。なお、前記切断線１９，２０上には、折曲線２１を支点とした切起部１８の折り曲げで破断可能な狭幅の非切断部が設けられている。
【００２５】
また、貼着領域１７において、前記切起部１８を設けた第１端縁には、該切起部１８内を除くように、長手方向に直交する短手方向に沿って延びる始点部カット線２２が設けられている。さらに、貼着領域１７において、長手方向の逆側に位置する第２端縁には、短手方向に沿って延びる第１終点部カット線２３が設けられるとともに、この第１終点部カット線２３と所定間隔をもって内側に平行に位置するように第２終点部カット線２４が設けられている。これらカット線２２〜２４は、切断部と連続部（非切断部）とを交互に繰り返すように直線的に延びるミシン目状のものである。本実施形態では、第１終点部カット線２３は、例えば通信販売業者が宅配を委託した際に、内容物を列挙した納品伝票等を収容する封筒を貼着可能な横幅Ｈ１で形成され、第２終点部カット線２４は、宅配業者の伝票１を貼着可能な横幅Ｈ２で形成されている。
【００２６】
そして、貼着領域１７には、始点部カット線２２と第１終点部カット線２３との間に、該貼着領域１７の長手方向に対して非平行に延びる複数の中間部カット線２５ａ，２５ｂが設けられている。これら中間部カット線２５ａ，２５ｂは、前記と同様に、切断部と連続部とを交互に繰り返すように直線的に延びるミシン目状のものである。また、各中間部カット線２５ａ，２５ｂは、第１端側である始点部カット線２２から第２端側である第１終点部カット線２３に向けて内向きに傾斜する複数の平行線状に設けられている。具体的には、上側（フラップ１４Ｃの先端側）に位置する中間部カット線２５ａは、始点部カット線２２の側を始点として第１終点部カット線２３に向けて下向きに傾斜されている。また、下側（折曲線１６の側）に位置する中間部カット線２５ｂは、始点部カット線２２の側を始点として第１終点部カット線２３に向けて上向きに傾斜し、中間部カット線２５ａに対して線対称に位置するように構成されている。
【００２７】
そして、前記各カット線２２〜２５ａ，２５ｂは、図１（Ｃ）に示すように、表紙５から裏紙６にかけて貫通するように、汎用のフレキソグルアに着脱可能に装着する部分型の切断刃により設けられている。
【００２８】
前記構成の包装箱１０は、側壁１１Ｂに対して側壁１１Ａが重畳するように折り曲げた後、側壁１１Ｃに対して側壁１１Ｄが重畳するように折り曲げ、糊代部１２と側壁１１Ｄの端部とを酢酸ビニルエマルジョン系などの接着剤で貼着し、この状態で出荷される。
【００２９】
そして、前記包装箱１０を使用する場合、図２に示すように、各側壁１１Ａ〜１１Ｄが平面視矩形状をなすように広げ、内フラップを構成する下側フラップ１５Ｂ，１５Ｄを内向きに折り曲げた後、外フラップを構成する下側フラップ１５Ａ，１５Ｃを内向きに折り曲げ、粘着テープなどの周知の固着手段で封緘する。
【００３０】
ついで、所定の商品を内部に収容させた後、図３に示すように、同様に内フラップを構成する上側フラップ１４Ｂ，１４Ｄを内向きに折り曲げた後、外フラップを構成する上側フラップ１４Ａ，１４Ｃを内向きに折り曲げ、粘着テープなどの固着手段で封緘する。
【００３１】
この包装箱１０を特定の相手に宅配する際には、宅配業者の伝票１に必要事項を記入し、その伝票１を複数のカット線２２〜２５ａ，２５ｂを有する貼着領域１７に貼着する。この際、伝票１は、長手方向の一端縁を始点部カット線２２に合わせ、他端縁が終点部カット線２３，２４の側に位置するように貼着する。
【００３２】
これにより、図４（Ａ）に示すように、貼着領域１７では、殆どのカット線２２〜２５ａ，２５ｂが被覆されるとともに、切起部１８の先端部が被覆される。
【００３３】
そして、この包装箱１０の受取人が伝票１を剥がす場合には、図４（Ｂ）に示すように、切起部１８の露出した矩形部１８ｂを下向きに押圧する。これにより、切起部１８が折曲線２１を支点として下向きに没入し、伝票１の端縁中央部に隙間が生じる。そのため、受取人は、この隙間に指を挿入して伝票１の縁を把持し、図４（Ｃ）に示すように、上向きに引っ張ることにより、簡単に伝票１を剥がすことができる。
【００３４】
この際、段ボール紙製の包装箱１０は、従来と同様に、表紙５の更に表面層だけが伝票１の接着層に付着したまま引っ張られ、剥離されることがある。しかし、本実施形態では、その剥離を遮るように傾斜して延びる複数の中間部カット線２５ａ，２５ｂが存在するため、この中間部カット線２５ａ，２５ｂに表面層が至ることにより、表面層が分断されて剥離が止まる。万が一、表面層がいずれの中間部カット線２５ａ，２５ｂにも交差しない方向で剥離が進んだ場合、伝票１の剥離が終了する第２終点部カット線２４に至ることにより、分断されて剥離が止まる。
【００３５】
そのため、伝票１を剥がした跡は、貼着領域１７の内部のみに止めることが可能である。その結果、その包装箱１０を宅配用として再利用する場合には、剥がれた跡の表面に伝票１が再び貼着されることになるため、美感を損なうことはない。即ち、本実施形態の包装箱１０は、構成する段ボール紙が耐え得る限り、外観を損なうことなく、複数回にわたって再利用することが可能である。勿論、包装箱１０を再利用せずに廃棄する場合には、個人情報が記載された伝票１を前述のように簡単に剥離でき、その伝票１は手で簡単に細断できる。
【００３６】
図５（Ａ），（Ｂ）は第２実施形態の包装箱１０を示す。この第２実施形態では、切起部１８からなる始点部構造を変更した点でのみ、第１実施形態と相違している。
【００３７】
具体的には、第２実施形態では、貼着領域１７の長手方向の第１端縁中央に、貼着した伝票１の縁と一緒に把持するため円形状の切抜部２６が設けられている。この切抜部２６は、受取人が把持して引き上げる程度の力で破断可能な狭幅の非切断部を有する円形状の第１切断線２７で区画されている。また、この切抜部２６の右側頂部には、台形状をなす切起部２８が設けられている。この切起部２８は、第１切断線２７から一対に延びる第２切断線２９，２９と、これら第２切断線２９，２９の端部間の連続部に設けた折曲線３０とで区画されている。
【００３８】
このように構成された第２実施形態の包装箱１０は、第１実施形態と同様にして、組み立てられ、宅配用に使用される。そして、この伝票１を貼着した状態では、図６（Ａ）に示すように、貼着領域１７では、殆どのカット線２２〜２５ａ，２５ｂが被覆されるとともに、切抜部２６の半分および切起部２８が露出される。
【００３９】
この包装箱１０の受取人が伝票１を剥がす場合には、図６（Ｂ）に示すように、切起部２８を下向きに押圧する。これにより、切起部２８が折曲線３０を支点として下向きに没入し、切抜部２６の端縁が露出する。そのため、受取人は、この切抜部２６と一緒に伝票１を把持し、図６（Ｃ）に示すように、上向きに引っ張ることにより、簡単に伝票１を剥がすことができる。
【００４０】
このように構成した第２実施形態では、第１実施形態と同様の作用および効果を得ることができるうえ、伝票１を切抜部２６と一緒に把持するため、その把持状態が安定し、剥離作業性を一層向上できる。
【００４１】
なお、本発明の包装体は、前記実施形態の構成に限定されるものではなく、種々の変更が可能である。
【００４２】
例えば、前記実施形態では、中間部カット線２５ａ，２５ｂをミシン目状の傾斜線により構成したが、円弧状の湾曲線で構成してもよいうえ、所定間隔をもってミシン目状に延びる切断線の一端または両端に傾斜したガイド線を設けた構成であってもよい。即ち、中間部カット線２５ａ，２５ｂは、貼着領域１７の長手方向に沿って平行に延びる直線的な切断線を除くものであれば、どのようなカット線形状としてもよい。そして、他のカット線２２〜２４は、必ずしも設ける必要はない。
【００４３】
また、外フラップであるフラップ１４Ｂ，１４Ｄ，１５Ｂ，１５Ｄを、シート状接着部材である粘着テープで封緘する場合、フラップ１４Ｂ，１４Ｄ，１５Ｂ，１５Ｄの先端部に中間部カット線２５ａ，２５ｂを設けておくことにより、開封時の剥離を防止できる。勿論、伝票１の貼着領域１７は、フラップ１４Ｃに設ける構成に限られず、側壁１１Ａ〜１１Ｄに設けてもよい。
【００４４】
さらに、前記実施形態では、各カット線２２〜２５ａ，２５ｂは、表紙５、裏紙６および中しん７からなる段ボール紙において、表紙５から裏紙６にかけて貫通するように設けたが、図７（Ａ）に示すように、表紙５のみを貫通（ハーフカット）するように設けてもよい。この場合、カット線２２〜２５ａ，２５ｂは、切断部と連続部とを交互にミシン目状に繰り返す構成に限られず、一端から他端まで連続した切断線により構成してもよい。
【００４５】
そして、前記実施形態では、段ボール紙製の包装箱１０に本発明のカット線２２〜２５ａ，２５ｂを有する貼着領域１７を設けたが、図７（Ｂ）に示すように、単紙製であってもよい。この場合、包装箱１０に限られず、封筒に適用しても同様の作用および効果を得ることができる。
【００４６】
また、前記実施形態では、貼着領域１７を横長の長方形状に形成したがが、横長の楕円形状としてもよい。
【図面の簡単な説明】
【００４７】
【図１】本発明に係る第１実施形態の包装体である包装箱を示し、（Ａ）はブランク全体の平面図、（Ｂ）は（Ａ）の一部拡大図、（Ｃ）は（Ｂ）のＣ−Ｃ線断面図である。
【図２】封緘前の包装箱を示す斜視図である。
【図３】封緘後の包装箱を示す斜視図である。
【図４】（Ａ），（Ｂ），（Ｃ）は伝票の剥離工程を示す斜視図である。
【図５】第２実施形態包装箱を示し、（Ａ）はブランク全体の平面図、（Ｂ）は（Ａ）の一部拡大図である。
【図６】（Ａ），（Ｂ），（Ｃ）は伝票の剥離工程を示す斜視図である。
【図７】（Ａ），（Ｂ）は包装体の変形例を示す断面図である。
【符号の説明】
【００４８】
１…伝票（シート状接着部材）
５…表紙
６…裏紙
７…中しん
１０…包装箱（包装体）
１７…貼着領域
１８…切起部
２２…始点部カット線
２３…第１終点部カット線
２４…第２終点部カット線
２５ａ，２５ｂ…中間部カット線
２６…切抜部
２８…切起部
【図１】
2008001419.tif 000003
【図２】
2008001419.tif 000004
【図３】
2008001419.tif 000005
【図４】
2008001419.tif 000006
【図５】
2008001419.tif 000007
【図６】
2008001419.tif 000008
【図７】
2008001419.tif 000009